Podtech/llm-jp-corpus-v4-ja_patent huggingface dataset:
(57)【要約】【課題】これまでのテントは雨や日差しの防止だけの対策用テントで落雷には対策効果がなかった。【解決手段】雷は金属とくに導電性のあるものを介して伝わるため、金属板や金属箔等で雷をアース線を介してテントの４隅から引き出せるようにし、そのアース支線を金属性の杭に接合して地面に雷を逃がす。具体的にいうと電気伝導性のよいアルミ等の金属箔及び板等を２〜数枚を防水用カバーで覆い板同士は金属線で電気的に結合しテントの４隅の金属箔及び板にボルトナット等で端子を取り付けアース支線に接続する。その端子にアース線を繋ぎ片方は金属杭に接合し地面に打ち込んでアースを取る。又は、通常の屋外テントのように金属板で屋根を覆い、トップに避雷針を取付け４隅からアース支線を引き出し、同様にアース線を接地杭に接合し地面に雷を逃がす。【選択図】図１
2006219966.tif 000002
【特許請求の範囲】
【請求項１】
アルミ等の金属箔及び板２〜数枚を防水のテントカバーで覆い、その金属箔及び板に穴をあけボルトナットを取り付け金属箔及び板の何カ所かを金属線で接続して板同士を電気的に結合する。又テントの４隅の金属板に穴をあけアース線の引き出し用の端子を取り付けアース支線をその端子に接続し、もう一方は金属性の杭に接続して地面に雷を逃がす。
このテントは金属板を２〜数枚でテントカバーの中に入れ挟み込むので折りたたんで持ち運びが可能である簡易型テントであると同時に支柱を取れば従来のテントにかぶせて使用することができる落雷防止テントカバーとしても使える簡易型テント。
【請求項２】
ステンレス等の金属性の板を骨組みフレームに取り付け屋根には避雷針を取り付け金属板に電気的に結合する。又、金属板の４隅には穴をあけボルトナットで端子を作りアース支線をネジ止めしもう一方はアース杭に接合する落雷防止屋外テント。
【発明の詳細な説明】
【技術分野】
【０００１】本発明は、これまでの防風水及び防太陽（紫外線）ばかりでなく落雷対策を施して人命を落雷から守るために考えたテントである。
【背景技術】
【０００２】これまでのテントは雨風や太陽光線から人身を保護する機能のみで、屋外での落雷に対しては対策が施されてなかったが雷が金属を伝わる性質を利用して仮にテントに雷が落ちても金属板や金属箔を介してアース線経由で雷を地面に逃がすことで人命を保護するテントである。
【特許文献１】  特開２００４−１４３８０９号  野外テント
【特許文献２】  特開平１０−０６１２６３号    太陽熱遮断テント
以上参照。
【発明の開示】
【０００３】これまでのテントは布製のカバーであったが、上部を金属板や金属箔で覆いその４隅からアース線を引き出し金属性の杭に接合することで地面に雷を逃がす対策が可能なテント。
【課題を解決するための手段】
【０００４】雷は導電性のある金属等を介して流れるため、テントの上部にアルミやステン等の金属性のカバーにすることでこれをボルトナットでアース線に接合し金属性の杭を介して雷を地面に誘導し、テント内に雷が落ちないよう人身を保護する。
【発明の効果】
【０００５】これまで屋外及び山や海でキャンプ中、テントに雷が落ちて人命を失う場合や、ゴルフ場で雷雨のなかで避難している場合に落雷に会う人身事故が多かった。
今回の発明でこういった落雷事故から人身を守ることが可能になる。
【発明を実施するための最良の形態】
【０００６】図１の簡易型テントは上部は金属板（アルミ等金属箔）何枚かをテントカバーで挟み縫い合わせると共に各々金属板を金属線で接合し電気的に結合する。金属板の４隅すなわちテントの４隅に穴をあけ引出し端子を出す。そこにアース支線（金属性）を片方には金属杭に接合し地面にアースをとる。テントの柱と骨組みは非金属製とする。このタイプのテントはキャンプ用のテントに利用すれば落雷から身を守れる。【０００７】図２は本格的なテントで柱は手で掴むのでプラスチック製とし、屋根はステンレス等の金属板で覆い、トップには避雷針をつけ金属屋根に接合し４隅にアース線の端子を出す。その端子にアース支線を接続できるようにし、片方は金属性アース杭に接合し屋根に落ちた雷をアースに逃がすことが可能である。屋根の金属板は各々電気的に結合する。このタイプのテントはゴルフ場等で活用すれば避難所として落雷から人身を保護できる。
【図面の簡単な説明】
【０００８】
【図１】  落雷防止簡易型テントの外観図
【図２】  落雷防止屋外テントの外観図
【符号の説明】
【０００９】  １    接続端子（ボルトナット等）
２    金属箔及び金属板
３    金属板接続用の金属線
４    アース支線
５    金属性アース杭
６    避雷針
７    アース支線接続端子
８    金属板
９    支柱（プラスチック製）
１０    アース杭
１１    骨組みパイプ（プラスチック製）
【図１】
2006219966.tif 000003
【図２】
2006219966.tif 000004
(57)【要約】【課題】空気に触れて液体が変質しない瓶を提供する。【解決手段】器体1に液体の水面へ浮かせる浮板2を挿入し、浮板2によって液体と空気層とを区分して変質を抑制し、器体1に浮板2を挿入するための器口3を開ける。【選択図】  図１
2006219148.tif 000002
【特許請求の範囲】
【請求項１】
瓶の器体1に浮板2を入れ、器体1内の液面に浮板2を浮かせておく事で、液面が空気に触れるのを塞き止めて、液体の変質を抑え、浮板2の挿入箇所を設けて成る、浮板入り瓶。
【請求項２】
浮板2の挿入箇所として、器体1に器口3を設けた、請求項１記載の浮板入り瓶。
【発明の詳細な説明】
【技術分野】
【０００１】
本発明は、液体が空気に触れて変質（特に酸化）しないようにした、液体変質防止瓶に関する。
【背景技術】
【０００２】
従来の液体変質防止瓶は、液体が酸化しないように、空気の代わりに窒素を封入した瓶であった。
【発明の開示】
【発明が解決しようとする課題】
【０００３】
従来技術では、開封しなければ酸化は進まないけれど、開封後は液体が少なくなるに連れて空気の量が増え、多くの空気と触れる事によって変質が進んでいく、という問題点があった。本発明は、瓶の使用中に於いて液体が少なくなって行っても、空気との接触を抑制し、液体の変質を抑制できる瓶の提供を目的とする。
【課題を解決するための手段】
【０００４】
瓶の器体に入っている液体に浮板を浮べ、浮板は器体の内径と略同寸（遊び分短い同じ寸法）にし、器体を上下に分離して、浮板を挿入する器口を設ける。
【発明の効果】
【０００５】
浮板が空気と液体を仕切っているので、瓶内の液体は変質し難くなり、器口を設けた事で、浮板を入れる事ができる。
【発明を実施するための最良の形態】
【０００６】
最良の形態を、図１から図３を参照しながら、以下の実施例で説明する。
【実施例１】
【０００７】
図１は、分離斜視図であり、本発明物はガラス瓶であっても良いが、ペット樹脂などの人工樹脂製である事が望ましく、本発明物全体を指して瓶4とし、瓶4の頂部には蓋5を有しており、器体1は底の閉じた中空の円柱形である事が望ましく、又、角柱であっても良く、器体１の上部を細くして注ぎ口6を形成し、注ぎ口6の外周側面に蓋ネジ7を設けて蓋5を固定する構造である事が望ましく、注ぎ口6の内側には開口部を適宜に狭める中蓋11を設けて、注ぐ時の液体が出過ぎないようにする事が望ましく、器体1の内周と略同寸の外周で浮板2を設け、浮板2の形状は、平らに近い円錐形物を面対称で天地方向へ合わせて、縁を連結してソロバンのコマに似た両面円錐形にし、器体1は上半分領域の適宜な箇所で水平に切断して上下に分離し、分離した上部の物を上器8とし、下部の物を下器9とし、下器9は側面が天地方向に平行な円筒形を成し、下器9頂部の開口箇所を器口3とし、器口3の外周側面には器ネジ10を設けて上器8と水が漏れない状態で連結できるようにし、器口3から浮板2を挿入する。
【実施例２】
【０００８】
図２は、部分剥離斜視図であり、器口3から器体1に入れられた浮板2は、液体12の水面で水平に浮き、液体12は限定ではないが、空気によって変質し易い液体として醤油などを想定しており、本発明物は、醤油を小分けするための詰め替える瓶としているが、販売用の元瓶であっても良く、使用時には蓋5を外して器体1を傾ければ注ぐ事ができ、器体1を傾ければ液体12の水面は楕円形となって浮板2と器体1との隙間が広がるので液体12を難なく注ぐ事ができ、図1で示した注ぎ口6は浮板2の外周よりも狭いので、注ぎ時に器体1から浮板2が流れ出る事は無く、瓶4の大きさは限定ではないが、片手で楽に持ち上げられる大きさである事が望ましく、具体的に述べるならば、下器9の高さを14ｃｍから21ｃｍ、直径を7cmから8ｃｍにする事が望ましく、上器8の下端直径は下器9と同寸である以外、高さなどは適宜であって良い。
【実施例３】
【０００９】
図３は、器体断面部分側面図であり、液体12に浮板2を浮かべている事で、空気層13と区分されており、前記区分によって液体12の酸化は抑制され、器体1の側面は天地方向に平行なので、液体12の水面が上下しても浮板2と器体1との隙間は一定であり、注ぎ込むための使用時には、浮板2の上面に液体12は付いたりするが、浮板2は両面円錐形なので液体12は滴となって流れ落ち、浮板2の直径は器体1の内側直径と略同寸である事から遊びを設ける必要があり、遊びの寸法はケースバイケースであるが、3mm程度が望ましく、浮板2中央の厚みは限定ではなく、図面では分厚く示しているが5mm程度が望ましく、浮板2は中空である方が軽くて浮き易い。
【図面の簡単な説明】
【００１０】
【図１】分離斜視図（実施例１）
【図２】部分剥離斜視図（実施例２）
【図３】器体断面部分側面図（実施例３）
【符号の説明】
【００１１】
１  器体
２  浮板
３  器口
【図１】
2006219148.tif 000003
【図２】
2006219148.tif 000004
【図３】
2006219148.tif 000005
(57)【要約】【課題】  スライド板を装着した容器に保管することによって、水気やホコリからティッシュペーパーを守ることができ、容器が有する平面部分に両面テープや吸盤を用いることによって、壁などの側面に装着して使用を可能になるため狭い場所での使用が可能となる紙製品の容器を提供する。【解決手段】  取出口を設けた蓋体にスライド板を装着し、ティッシュペーパーを挿入した容器本体と蓋体を嵌合させて使用することを特徴とする紙製品の容器。【選択図】図１
2006219196.tif 000002
【特許請求の範囲】
【請求項１】
ティッシュペーパー取出口を持する平面部分を有した円型状の蓋体にスライド板を装着し、側面に平面部分を有する筒状の容器を蓋体が有する平面部分と筒状の容器が有する平面部分を合致させ、装着し、着脱可能な蓋体及び容器を有することを特徴とした紙製品の容器。
【請求項２】
請求項１記載の着脱可能な蓋体及び容器において、スライド板を装置した平面部分を有した円型状の蓋体の取出口をウェットティッシュー取出口にする事によりウエットティッシューに使用できることを特徴とした紙製品の容器。
【発明の詳細な説明】
【技術分野】
【０００１】  本発明はティッシュペーパー等を水気やホコリから守り、収納する容器に関するものである。
【背景技術】
【０００２】  従来、ティッシュペーパーの容器は型くずれしやすい上に、水気やホコリを防ぐことが出来ず、保管場所に制限があった。
【発明の開示】
【発明が解決しようとする課題】
【０００３】  そのために、次のような問題点があった。
（イ）従来のティッシュペーパーの容器は、耐久性に乏しく、型くずれしやすい。
（ロ）水気やホコリを防ぐことが出来ない為、収納場所に制限があった。
（ハ）大半のティッシュペーパーの容器は、詰め替えて再利用することが出来ないため、ゴミとして処理されていた。
（ニ）狭い場所で利用する際は、無理に押し込んだりして収納して使用するため、容器が変形して外観的にも良くない状態での使用を強いられていた。
（ホ）ウェットティッシュペーパーにおいては、蓋体に付属しているキャップ部分が何らかの衝撃で外れることが多く、それによって乾燥して使用できないことがあった。
本発明は、これらの問題点を解決するためになされたものである。
【課題を解決するための手段】
【０００４】  一部平面部分を有する筒状の容器にティッシュペーパーを挿入する。取出口を設けた蓋体にスライド板を装着し、筒状の容器に嵌合する。以上を特徴とする紙製品の容器である。
【発明の効果】
【０００５】  スライド板を装着した容器に保管することによって、水気やホコリからティッシュペーパーを守ることができる。容器が有する平面部分に両面テープや吸盤を用いることによって、壁などの側面に装着しての使用が可能になるため、狭い場所での使用も簡便になる。
また、蓋体を図４に交換することにより、ウェットティッシュペーパーの容器として利用可能となるため、二種類の紙製品をよりコンパクトに収納することができる。詰め替えての使用が可能であるため、中身のみを購入する事ができ、ゴミの削減及びコストの削減ができる。自動車等の車内において使用する時は、ドリンクホルダーに装着できるため、従来の様に外観的に良くない状態の使用はなくなり、また、空調吹出口に装着する事によって冷温両用のウェットティッシュ保存容器として利用できるため、より快適な使用を見込める。
【発明を実施するための最良の形態】
【０００６】  以下、本発明の実施の形態について説明する。
（イ）スライド板（１）を取出口（３）を設けた蓋体（２）の中央に有するスライド板結合凸部（２ａ）とスライド板結合穴（１ａ）を嵌合させることにより装着する。
（ロ）容器本体（６）の内側にティッシュペーパーを挿入する。
（ハ）容器本体（６）に設けた容器側面平面部（４）と蓋体平面部（２ｃ）を合致させる様に蓋体嵌合部（２ｂ）と蓋体嵌合受部（６ａ）を嵌合させる。
本発明は、以上の構成よりなっている。
本発明を使用するときは、スライド板（１）を移行して取出口（３）からティッシュペーパーを取り出し使用する。使用後は、スライド板（１）を移行させることによって、取出口（３）を閉じる。又、ティッシュペーパーを補充する際には、蓋体嵌合部（２ｂ）と蓋体嵌甘受部（６ａ）を離し、蓋体（２）と容器本体（６）に分け、ティッシュペーパーを本体容器（６）に挿入して再び蓋体嵌合部（２ｂ）と蓋体嵌合受部（６ａ）を嵌合する。使用時は、容器底部（５）を吸盤等で固定し使用することができる。
また、ウェットティッシュペーパーにおいては、スライド板（１）を取出口（８）を設けた蓋体（７）の中央に有するスライド板結合凸部（７ａ）とスライド板結合穴（１ａ）を嵌合させることにより装着する。容器本体（６）の内側にウェットティッシュペーパーを挿入し容器本体（６）に設けた容器側面平面部（４）と蓋体平面部（７ｃ）を合致させる様に蓋体嵌合部（７ｂ）と蓋体嵌合受部（６ａ）を嵌合させることにより使用する。
【図面の簡単な説明】
【０００７】
【図１】本発明の正投影図
【図２】本発明の斜視分解図
【図３】本発明の斜視実施例図
【図４】本発明の斜視図
【図５】本発明の正投影図（図４の正投影図）
【符号の説明】
【０００８】１    スライド板
１ａ  スライド板結合穴
２    蓋体
２ａ  スライド板結合凸部
２ｂ  蓋体嵌合部
２ｃ  蓋体平面部
３    取出口
４    容器側面平面部
５    容器底部
６    容器本体
６ａ  蓋体嵌合受部
７    蓋体
７ａ  スライド板結合凸部
７ｂ  蓋体嵌合部
７ｃ  蓋体平面部
８    取出口
【図１】
2006219196.tif 000003
【図２】
2006219196.tif 000004
【図３】
2006219196.tif 000005
【図４】
2006219196.tif 000006
【図５】
2006219196.tif 000007
(57)【要約】【課題】従来の紐切断器は、紐の取り出し口と、取り出した紐を切断する位置がほぼ、平行になっている。また、紐を切断する刃の部分も、紐の取り出し口と水平に設置されおり、紐の切断がスムーズでない面があった。【解決手段】第一に、紐の取り出し口と、切断器の刃の部分に段差を作り、紐の切断を容易にしたことである。第二に、刃の部分に傾斜を作ったことである。具体的には、刃の部分を、Ｙ字型することによって容易に切断できるようにしたことである。【選択図】図１
2006219193.tif 000002
【特許請求の範囲】
【請求項１】
本器具に設置された玉状に巻かれた紐（８）が、上板に設置された切断器（３）によって、任意の長さを容易に、敏速に切断されることにある。
【請求項２】
本器具にセットされた玉状に巻かれた紐（８）を取り出す時に、上板（１）と基板（７）を支えている支柱（５）に絡まないように工夫されていることにある。
【請求項３】
本器具の主体は木製であるので、作業場の状況に応じて、吊るしたり、壁に取り付けたり、机上に着脱するように設置することもできることである。
【請求項４】
従来の紐を切断する刃の部分は、器具と平行になっており、紐の切断に難点があったが、それに、高低差を作ったことである。
【請求項５】
本切断部は、Ｙ（Ｖ・Ｕ）字型（３）になっており、紐類の切断が容易である。
【発明の詳細な説明】
【技術分野】
【０００１】  本発明は、家庭用・業務用に使用される紐類の切断と収納に関する。
【背景技術】
【０００２】  従来の紐切断器には、容器から引き出した紐を容易に切断する工夫を施したものもある。下記の２文献である。
【特許文献１】特開２００３−２２６３３８
【登録実用新案】
実用新案登録第３０７２７９８号
【０００３】  上記文献によると、切断器具は、玉状に巻かれ、中が空洞になった、コアレスを前提としたものになっている。
【０００４】  上記文献によると、切断器具の紐の取り出し口と、その紐を切断する位置がほぼ平行となっており、紐の切断が容易でない面がある。
【０００５】  切断器具の刃の部分が、収納器と平行になっており、紐の切断がスムーズでない面が見られる。
【発明の開示】
【発明が解決しようとする課題】
【０００６】  第一は、従来の玉状に巻かれ、中が空洞になった、コアレス以外の、芯巻きの紐にも対応する器具の制作が必要である。【０００７】  第二は、紐の取り出し口と、その紐を切断する位置に段差を設け、紐の切断を容易ににする必要がある。【０００８】  第三は、上板（１）に設置する切断器（３）の刃の部分に、傾斜をつけることによって、紐の切断が容易となることである。
【課題を解決するための手段】
【０００９】  図１を基に説明すると、上板（１）と基板（６）が連結している支柱（４）には軽い円筒（５）を通し紐が支柱（４）に絡まると、この円筒（２）が空回りし、支柱（４）に絡まらないよう工夫を施してある。【００１０】  図１を基に説明すると、上板（１）の周辺部に、１〜２センチメートル程度の突起（３）を設置し、その突起を切断器（３）とする。【００１１】  上板（１）に、紐の取り出し口（２）と切断器（３）を近接して設定し、切断するする時の角度が９０度以下になるようにすることによって、紐の切断が容易となる。【００１２】  上板（１）の周辺部に設置された切断器の刃の部分は、紐の太さ、大小、強度に応じて、Ｙ（Ｖ・Ｕ）字型にする。
【発明の効果】
【００１３】  梱包等の作業のスピードアップをはかることができる。【００１４】  紐の切断機能と収納・保管機能が同一で、便利である。
【発明の実施するために最良の形態】
【００１５】  以下、本考案の実施の形態を図１を基に説明する。
【００１６】  本体は、上板（１）、支柱（４）、基板（７）から成り立っている。
【００１７】  上板（１）、支柱（４）、基板（７）の大きさは、玉糸、玉紐の大きさによって決まる。
【００１８】  上板１の板上には、切断器（３）を上板（１）の周辺部に設置する。
【００１９】  上板（１）には、切断器（３）の内側、１ｃｍ前後の位置に、３ｍｍ程度の大きさの穴をあける。
【００２０】  上板（１）の中心に、持ち運び用、吊るす用に、フック（４）を取り付けている。
【００２１】  支柱（５）には、軽い円筒（６）が装着されいる。
【図面の簡単な説明】
【図１】  本発案の全体模型図
【符号の説明】
【００２２】  特になし。
【図１】
2006219193.tif 000003
(57)【要約】      （修正有）【課題】従来のチューブ容器は中身が少量になってくると、使用の度に指等で中身を容器の出口まで押し出す作業が必要であった。【解決手段】  チューブ１の後尾部２にチューブ容器口５の径より大きな径の孔４、４′を複数個設け、使用の際は、チューブ１の中身を押しながらチューブ１を二つに折り曲げ、孔４または４′をチューブ容器口５に引っ掛ける。こうする事により、チューブの中身はチューブ容器口５付近に溜まり、指を上から一度押すだけで、容易に中身をチューブ１から押し出す事が可能になる。また、孔４または孔４′はチューブ容器口４でロックされているので再度、使用する時もすぐに中身を押し出す事が可能になる。【選択図】図３
2006219195.tif 000002
【特許請求の範囲】
【請求項１】
チューブ（１）の後尾部（２）に容器内部（３）と隔離した複数個の孔（４）（４）′を設け、その孔（４）（４）′の径はチューブ容器口（５）の径より大きな径を設け構造から成るチューブ容器である。
【発明の詳細な説明】
【発明の詳細な説明】
【技術分野】
【０００１】  この発明はチューブ容器に入っている物が少量になっても容易に押し出すを可能にしたチューブ容器に関するものである。
【背景技術】
【０００２】  従来のチューブ容器は初めて使用する時は中身が一杯なので初めのうちは指で押すと簡単に中身をチューブ容器口（５）から押し出す事ができたが、チューブ（１）の中身が少量になってくると使用の度に、指でチューブ（１）の中身をチューブ容器口（５）まで押し出して行く事を何度も繰り返さなければならない大きな欠点があった。
【発明が解決しようとしている課題】
【０００３】  従来迄の欠点を解決するために、使用前にチューブ容器口（５）付近に中身を溜めておくことが容易なチューブ容器にした。
【課題を解決するための手段】
【０００４】  図１、図２で示す通り、チューブ（１）の後尾部（２）に容器内部（３）と隔離した複数個の孔（４）（４）′を設け、その複数個の孔（４）（４）′は突き出たチューブ容器口（５）に引っ掛けられるようにチューブ容器口（５）の径より大きな径にした。以上の構造からなるチューブ容器である。
【発明の実施形態】
【０００５】  図３で示す通り、チューブ（１）の中身が少量になってきた時はチューブ後部（６）の中身を指で押しながらチューブ（１）を二つに折り曲げ後尾部（２）の孔（４）、（４）′のどちらかをチューブ（１）の中身の量または出具合を考えてチューブ容器口（５）に引っ掛けます。
チューブ（１）が折り曲げるとチューブ後部（６）の中身は空の状態になり、中身はチューブ前部（６）′とチューブ容器口（５）に留まります。チューブ（１）の中身を押し出す時は指で折り曲がったチューブ（１）のチューブ後部（６）とチューブ前部（６）′を同時に押すことでチューブ容器口（５）から容易に中身を外へ押し出す事ができます。
チューブ（１）は二つに折り曲がっているのでチューブ（１）を強く押しても中身が逆流してチューブ前部（６）′からチューブ後部（６）に行くようなことは起こりません。また、孔（４）（４）′のどちらかがチューブ容器口（５）に引っ掛かっているのでチューブ（１）の動きをロックしていますので、手を離しても図１のようにチューブ（１）が元の形に戻る様な事が起こりません。また図３の状態でキャップ（７）を被せ収納する事ができ、再度使用する時も容易にチューブ（１）の中身を効率よく押し出す事ができます。
【発明の効果】
【０００６】  本発明により下記の効果が得られた。
（１）チューブ（１）の中身はチューブ容器口（５）付近に留められているので、効率よく容易に中身を押し出す事が可能になった。
（２）チューブ（１）の中身の量に合わせてチューブ容器の長さを調整することが可能になった。
（３）チューブ容器を押しても中身全体に広がる事がなくなった。
（４）チューブ容器の本体が小さくなり収納、取扱いが便利になった。
【図面の簡単な説明】
【図１】  斜面図
【図２】  図１のＡ−Ａ′断面図
【図３】  実施例図
【符号の説明】
（１）チューブ  （２）後尾部  （３）容器内部  （４）孔  （４）′孔  （５）チューブ容器口  （６）チューブ後部  （６）′チューブ前部  （７）キャップ
【図１】
2006219195.tif 000003
【図２】
2006219195.tif 000004
【図３】
2006219195.tif 000005
(57)【要約】      （修正有）【課題】シャンプーやリンスなどの液体を詰め替え袋のまま容器に入れて使える容器を提供する。【解決手段】筒状容器１の開口部内側にカッター４付きの取り外し可能な止めがね２を設け、ポンプ式のふた５を設けたことを特徴とする液体用の詰め替え容器。【選択図】図４
2006219191.tif 000002
【特許請求の範囲】
【請求項１】
筒状容器の開口部の内側にカッター付きの取り外し可能な弾力性のあるつまみ付きの止めがねを設け、この筒状容器上部にはポンプ付きのふたを設けたことを特徴とする液体用の詰め替え容器。
【発明の詳細な説明】
【技術分野】
【０００１】本発明はシャンプーやリンスなどの液体の詰め替え袋ごと中に収納するために用いる容器に関するものである。
【背景技術】
【０００２】  従来、シャンプーやリンスなど詰め替え袋の内容物を専用容器に流し入れていた。
【発明の開示】
【発明が解決しようとする課題】
【０００３】  そのために、次のような問題点があった。
（イ）シャンプーやリンスなどの液体を詰め替え袋から専用容器に流し入れるとき、容器の詰め替え口から内容物がこぼれ、手や床などを汚してしまうことがあった。
（ロ）専用容器に内容物だけ流し入れると、詰め替え袋に内容物が残ってしまい、最後まで使い切ることが出来ずとても不経済であった。
（ハ）切り口を誤って切りそこなってしまうと、はさみなどを使わないと切れにくくなってしまいとても不便であった。
本発明は、これらの問題点を解決するためになされたものである。
【課題を解決するための手段】
【０００４】  筒状容器の開口部の内側にカッター付きの、取り外し可能な弾力性のあるつまみ付きの止めがねを設ける。この筒状容器上部には、ポンプ付きのふたを設ける。以上を特徴するシャンプーやリンスなどの液体用の詰め替え容器である。
【発明の効果】
【０００５】  詰め替え袋ごと容器の中に入れて使用できるので、面倒な内容物の移し変え作業をする必要がなくなる。
【発明を実施するための最良の形態】
【０００６】  以下、本発明の実施形態について説明する。
（イ）透明なプラスチックの筒状容器（１）の上部に大きく開口部を設ける。
（ロ）開口部の内側に、取り外し可能な弾力性のある止めがね（２）を設ける。
（ハ）止めがね（２）にはつまみ（３）とステンレス製のカッター（４）を設ける。
（ニ）ふた（５）部分中央には、くみ上げ式ポンプ（６）を設ける。
本発明は以上のような構成で、これを使用ときには、透明なプラスチックの筒状容器（１）開口部から詰め替え袋ごと中に入れる。詰め替え袋の（４）上の部分を手でつまみ、止めがね（２）についているカッターを使い詰め替え袋の上の部分を全部切り取る。切り取った詰め替え袋の内側に、つまみ（３）部分を指で持ち、縮ませて止めがね（２）を付け、袋を固定してポンプ（６）の付いたふた（５）を取り付ける。
【図面の簡単な説明】
【０００７】
【図１】本発明の斜視図
【図２】本発明の分解斜視図
【図３】本発明の動作を示す斜視図
【図４】本発明の実施形態を示す斜視図
【符号の説明】
【０００８】    １  筒状容器
２  止めがね
３  つまみ
４  カッター
５  ふた
６  ポンプ
７  詰め替え袋
【図１】
2006219191.tif 000003
【図２】
2006219191.tif 000004
【図３】
2006219191.tif 000005
【図４】
2006219191.tif 000006
(57)【要約】【課題】意匠性に優れ、かつ、物品の出し入れが容易に行なわれる巾着等として好適に使用される袋体を提供する。【解決手段】上部開口の周囲部２が外側に折り返され、かつ、その縁部９に沿って装飾模様８が付設されてなる袋体。【選択図】  図３
2006219192.tif 000002
【特許請求の範囲】
【請求項１】
上部開口の周囲部が外側に折り返され、かつ、その縁部に沿って装飾模様が付設されてなることを特徴とする袋体。
【発明の詳細な説明】
【技術分野】
【０００１】  この発明は、巾着等の袋体の構造に関する。
【背景技術】
【０００２】  最近、巾着の中にお菓子等を納め販売することが行なわれている。このような巾着は販売物品の購買意欲を高めるべく意匠性に富むことが必須となる。しかしながら、現状のものはその構成上意匠性を高めるのに限界がある。
【発明の開示】
【発明が解決しようとする課題】
【０００３】  この発明では、意匠性に優れ、かつ、物品の出し入れが容易に行なわれる巾着等として好適に使用される袋体を提供することを目的とする。
【課題を解決するための手段】
【０００４】  この発明では、上部開口の周囲部が外側に折り返され、かつ、その縁部に沿って装飾模様が付設されてなる袋体を提供する。【０００５】  上記構成によれは、袋体内に物品が入れられて全体が膨らんだ状態とされると、装飾模様が形成された縁部が裾広がり状態となって美しく目立つ。また、物品を内部より取り出す際、周囲部が外側に折り返されその縁部が袋体内部に存在しないことで、物品がその縁部に引っかかったりすることなくスムーズに取り出すことができる。
【発明の効果】
【０００６】  この発明によれば、意匠性に優れ、かつ、物品の出し入れが容易に行なわれる巾着等として好適に使用される袋体が得られる。
【発明を実施するための最良の形態】
【０００７】  図１はこの発明の袋体としての巾着の正面図、図２は同断面図、図３は使用時の外観斜視図である。巾着１は全体が不織布よりなり、上部が開口し、一定巾を持つその周囲部２が外側に折り返され、その周囲部２と袋体本体部４間に締め紐５の挿通部７が形成され、その挿通部７に締め紐５が挿通されている。周囲部２の下縁は波状にカットされ、かつ、その縁部９に沿って装飾模様８が付されている。巾着１は２枚の不織布シートが重ねられ、図１の点線Ａで示す両側及び下側の３箇所が溶着固定されることで一体とされている。【０００８】  上記構成の巾着１に物品が入れられて、図３に示すように全体が膨らんだ状態とされ締め紐５が締められると、装飾模様８が形成された縁部９が裾広がり状態となって美しく目立ち、これにより高い意匠性が発揮される。また、物品を内部より取り出す際、周囲部２が外側に折り返されその縁部９が巾着１内部に存在しないことで、物品がその縁部９に引っかかったりすることなくスムーズに取り出すことができる。【０００９】  次に、図４の製造装置３０の平面構成図を用い上記巾着１の製造工程を説明する。１０は不織布シートで、既に両縁に後に装飾模様８を持つ縁部９となる部分が加工されたものが使用され、装飾模様８を下側として搬送される。２２のそれぞれは搬送用ローラである。１２は細巾のローラで、搬送される不織布シート１０の上面がそのローラ１２で押さえられることで、不織布シート１０の両側部分１４が上方に折り曲がるように変位し、その両側部分１４が搬送に伴ってガイト体１６それぞれにより押さえ込まれいくことでその両側部分１４は順次折り返えされていく。【００１０】  １５は超音波振動溶着機で、この超音波溶着機１５により図１の点線Ｂで示す平行する位置において溶着が行なわれ、これにより締め紐５の挿通部７が形成される。次に、不織布シート１０は三角プレート１９部分において半折されて下方に引き込まれ搬送方向が９０度変換される。１７は超音波振動溶着裁断機で、この超音波振動溶着裁断機１７により図１の点線Ａで示す位置が溶着され、かつ、所定巾、所定形状に裁断されることで巾着１が順次作製される。上記のようにこの製造装置３０によれば、巾着１等の袋体が自動的に連続して製造容易に得られるものである。【００１１】  図５は袋体の他の実施形態を示し、このものでは袋体は把手穴２０が形成された手提げ袋２１として構成されている。このものにおいても、装飾模様８が形成された縁部９が意匠効果を発揮し、また、周囲部２が外側に折り返されその縁部９が巾着１内部に存在しないことで、物品の取り出しがスムーズにおこなわれるようになっている。
【図面の簡単な説明】
【図１】  この発明の袋体の第１の実施形態の正面構成図
【図２】  この発明の袋体の第１の実施形態の断面構成図
【図３】  この発明の袋体の第１の実施形態の使用時の外観斜視図
【図４】  この発明の袋体の製造装置の平面構成図
【図５】  この発明の袋体の第２の実施形態の正面構成図
【符号の説明】
１  巾着
２  周囲部
８  装飾模様
９  縁部
【図１】
2006219192.tif 000003
【図２】
2006219192.tif 000004
【図３】
2006219192.tif 000005
【図４】
2006219192.tif 000006
【図５】
2006219192.tif 000007
(57)【要約】【課題】従来は収納能力の面からみて１枚のみ収納であるため複数の整理、収納には対応不向きなレコード盤収納帳であった。【解決手段】複数のレコード収納可能を目的とするものであり、既存ドーナツ盤レコード及び既存のドーナツ盤レコード収納ケースを枚数が重ねれて種類別等に整理収納が可能となる収納ケースである。【選択図】図３
2006219170.tif 000002
【特許請求の範囲】
【請求項１】
端部２に重ね合わせる部分を設け両面を接着出来るようにする。側面下部３においては斜めの切り込みを入れ接着することにより使用部材を極力少なくし無駄なくかつ底辺面との接着による強度を保て使用時の引っかかり等が無いようにしたケース。
【請求項２】
ケース両面１にあらかじめ丸い穴を開け収納物を出し入れすることなく収納物が見えるようにしたケース。
【発明の詳細な説明】
【技術分野】
【０００１】
本発明は、ドーナツ盤レコード収納に関する。
【背景技術】
【０００２】
従来、額縁風のレコード盤鑑賞用窓枠が付いていることを特徴とする１枚収納可能なレコード盤収納帳の存在はある。  
【０００３】
以下、従来の収納ケースについて説明する。既存のレコード盤収納帳は観賞用であるが故に１個の収納帳に対し単体のレコードのみ収納可能である。
【０００４】
【特許文献１】実開昭６１−１９３５７９号公報
【発明の開示】
【発明が解決しようとする課題】
【０００５】
以上に述べた従来の収納帳は単体レコードのみ収納しか出来なかった。
【０００６】
本発明は従来の収納帳が有していた問題点を解決しようとするものであり、当発明は複数収納可能を目的とするものである。
【課題を解決するための手段】
【０００７】
そして、本発明は既存ドーナツ盤レコード及び既存のドーナツ盤レコード収納ケースを枚数が重ねれて種類別等に整理収納が可能となる収納ケースである。
【０００８】
又、第２の解決手段はケースから出さなくとも中身が見え使用時もスムーズに出し入れ可能にし、市販のレコードＢＯＸに収まる大きさの使い勝手の良いケースを提供する。
【発明の効果】
【０００９】
上述したように本発明の収納ケースは重ねれて種類別等に整理収納が可能である為、実際の使用の際に目的のレコードを従来の様に迷う事無く出し入れが可能であり整理、整頓の効率が格段に向上する。  
【発明を実施するための最良の形態】
【００１０】
以下本発明の実施の形態を図１〜図３に基づいて説明する。
【００１１】
図面１の型に切り取った部材にあらかじめ１のような丸い穴をあけておき図１、黒色に塗ってある折り目線通りに内側に折り込み、２及び３部分同士を接着したケース。
３の部分を斜めに切り込むことにより使用部材を極力少なくし無駄なくかつ強度を保て使用時の引っかかり等が無い様にしたケース。
【図面の簡単な説明】
【００１２】
【図１】ドーナツ盤レコード収納ケース展開図である。
【図２】ドーナツ盤レコード収納ケースの組み立て図である。
【図３】ドーナツ盤レコード収納ケースの使用図である。
【符号の説明】
【００１３】
１    穴部
２    側面接着部
３    底面部から側面部に対する接着部
【図１】
2006219170.tif 000003
【図２】
2006219170.tif 000004
【図３】
2006219170.tif 000005
(57)【要約】【課題】各種ポケットの開閉部芯材のバネとして、鋼材や硬質合成樹脂板の単板やゴム質弾性体でなく、可塑性硬質合成樹脂の複合成形構造体を提供する。【解決手段】熱融着する熱可塑性硬質合成樹脂による長手方向に余白部を設けるか、設けない必要幅の短冊形状体に、これに熱融着する、同じ硬度か、硬度を変えた熱可塑性硬質合成樹脂で、長手方向に形成した一つ以上のトンネル形状体の立上がり部を少なくとも一列以上熱融着して得た複合成形体を必要長さにした芯材とする。【選択図】図１
2006219104.tif 000002
【特許請求の範囲】
【請求項１】
熱可塑性硬質合成樹脂の短冊形状シートに、その長手方向に、余白部を設けるか又は幅一杯に、短冊形状シートと同硬度か、その材質よりも硬度を変えた且つ熱融着可能な熱可塑性硬質合成樹脂による一つ以上のトンネル形状体を構成して、その立ち上がり部の少なくとも一線を短冊形状シートの長い方向に沿って融着した複合形状体の各種ポケットの開閉縁部バネ芯材
【発明の詳細な説明】
【技術分野】
【０００１】  本発明は、自動車の座席後部やドア内装部品、或いは車両や航空機又劇場や映画館の座席後部のポケット又車両やトイレットの壁備えポケット、更に鞄の内外ポケットの開閉縁部内のバネ構造に関するものである。
【背景技術】
【０００２】  従来、自動車の座席後部やドア内装部品その他のポケットの開閉縁部の芯材は、金属板や金属線又は硬質樹脂単板或いはゴム質材の弾性を利用していた。
【発明の開示】
【発明が解決しようとする課題】
【０００３】  そのために、次のような問題点があった。
（イ）金属板にあっては、それを巻き込んでいる材料が、切れたときには、ポケット利用者の手などに触れて、傷付けることが充分に予想される。
（ロ）硬質樹脂板単板の場合は、バネ弾性効果が弱かったり、ゴム質材の場合は、その老化でバネ弾性効果を失う事があった。
本発明は、これらの問題を解決するためになされたものである。
【問題を解決するための手段】
【０００４】  熱可塑性硬質合成樹脂の短冊形状板に、その樹脂より硬度を同じくするか、又は硬度を変えた且つそれに熱融着する熱可塑性硬質合成樹脂で、短冊形状板の長い方向に沿って余白部を設けるか、短冊形状体の幅一杯に一つ以上のトンネル形状体を少なくともその立ち上がり一線以上を短冊形状板に熱融着させた複合形状体を対象ポケット構成材の縁に巻き込んで留めるか、ポケット構成材の内部で短冊形状板の余白部とポケット構成材を留める。
【発明の効果】
【０００５】  本発明の複合形状体と同一重量の熱可塑性硬質合成樹脂単板をポケットの縁に巻き留めるよりも、ポケット開閉部のバネ効果は大きい。
【０００６】  ポケット開閉部内の開閉バネとして、金属板や線状体を使うより安全性が高く、ゴム質材を使用した場合のゴムの老化によるバネ効果の劣化が無い。
【発明を実施するための最良の形態】
【０００７】  以下、本発明の実施の形態について、実施例で説明する。
（イ）図１は、自動車の座席後部やドア内装部品のポケットの開閉部の縁内部の複合形状体（１）の斜視図であるが、熱可塑性硬質合成樹脂材の厚み１ｍｍから２ｍｍの短冊形状体（２）の長い方向に、同材質で硬度を同じくするか、硬度を変えた熱融着する熱可塑性硬質合成樹脂材で一つ以上の厚み１ｍｍから２ｍｍのトンネル形状体（３）を形成する。図１では、五つのトンネル形状体であることを示している。そのトンネル形状体の断面高さは、約４ｍｍから６ｍｍである。
（ロ）実施例では、図１のごとく、トンネル形状体（３）の両端の立上がり下部を短冊形状体（２）に融着させてあり、又図２のごとく、二つのトンネル形状を構成するトンネル形状体（３３）のほぼ中央の立上がり一列で短冊形状体（２２）に融着させておけば複合形状体（１）や（１１）のバネ効果を保つ事が出来る。【０００８】  短冊形状体（２）や（２２）並びにトンネル形状体（３）や（３３）の熱可塑性硬質樹脂はポリプロピレン樹脂等が使われ、同し硬度でも良いが、その硬度に差を付けて、ロックウエル硬度で短冊形状体（２）（２２）は７５度から８５度。トンネル形状体（３）（３３）は９５度から１０５度とする事を適当とする。【０００９】  逆にトンネル形状体（３）又は（３３）の硬度を短冊形状体（２）や（２２）の硬度よりも低くしても、複合形状体（１）や（１１）の反発弾性は複合形状体（１）や（１１）の総重量と同じの短冊形状単体のみの反発弾性力よりも低くなることは無い。【００１０】  （イ）複合形状体（１）では短冊形状体（２）の片側に、余白部（４）を設けてあるが、図２の複合形状体１１のごとく、トンネル形状体３３を幅一杯に構成してもよい。
（ロ）この複合形状体（１）を図３で示す自動車の座席（５）後のポケット（６）の開閉部（７）で、ポケット構成材料の中で動かぬように巻き込み、余白部（４）をミシンなどで縫い留めるか、留め具などでポケット構成材料と留め、開閉部縁（８）を構成する。点線は、ミシンの縫い目線を示し、破線は、巻き込んだ複合形成体（１）を示す。
（ハ）又は、複合形状体（１１）をポケット構成材料で巻き込んで、その縁をミシンで縫製し留めるか、留め具で固定して開閉部縁（８）を構成する。【００１１】  （イ）トンネル形状体（３）の向きは、ポケットの内側方向でも、外側方向のいずれでも良い。
（ロ）同じように、自動車のドア内装部品のポケットの開口部縁内のバネ構成材やその他の椅子後部のポケットや車両等やトイレットの壁取り付けのポケット或いは鞄内外の開閉縁内バネ材としても利用することが出来る。【００１２】  なお、各種ポケットに応じて、複合形状体（１）（１１）の構成厚みや幅及び長さを変  えることが必要となる。【００１３】  複合形状体（１）（１１）は、ポリプロピレン樹脂等の熱溶融硬質合成樹脂の異形押し出し機を上下か、横に並列させて、片側機では短冊形状体（２）や（２２）を、他の押し出し機では、トンネル形状体（３）や（３３）を押し出して、直ぐに熱融着させる。その二形体とも同一性合成樹脂なため、熱融着して一体化する。それを直ぐに冷却して、所定の長さに裁断する。
【図面の簡単な説明】
【００１４】
【図１】本発明の複合形状体（１）の斜視図
【図２】本発明の余白部（４）を設けない複合形状体（１１）の斜視図
【図３】本発明の自動車の座席後部ポケットを実施例とする開閉部の斜視図
【符合の説明】
【００１５】        １．１１  複合形状体
２．２２  短冊形状体
３．３３  トンネル形状体
４        余白部
５        座席
６        座席後部のポケット
７        開閉部
８        開閉部縁
【図１】
2006219104.tif 000003
【図２】
2006219104.tif 000004
【図３】
2006219104.tif 000005
(57)【要約】【課題】オートバイの２人乗り走行中後部シート乗員が安心して乗車できる。【解決手段】運転者の腰に装着したグリップ付ベルトにより、より安全に乗車できる。【選択図】  図  １
2006219102.tif 000002
【特許請求の範囲】
【請求項１】
ベルト（１）にグリップ（２）を４箇所設け、オートバイで２人乗りの時後部の人が安全に乗車できる器具。
【発明の詳細な説明】
【発明の詳細な説明】
【技術分野】
【０００１】この発明はオートバイを２人で乗車し走行する時、後部シートの人が運転者に直接掴まらず、安全に乗車できるショルダーベルト。
【背景技術】
【０００２】従来はオートバイに２人で乗車する時後部シートの人は運転者に直接体に掴まるか、オートバイの金具につかまる。しかし運転者の体に掴まれば運転者は不快であり、オートバイの金具に掴まると金具は、後部シート付近にあるので、かなり後部シートに乗っている人は不安である。
【発明が解決しようとする課題】
【０００３】これまで次のような欠点があった。
オートバイに２人乗りし走行している時、後部シートに乗っている人は運転者に掴まるか、オートバイの金具に掴まるしかないが、運転者につかまれば、運転者は不快であり、オートバイの金具に、掴まれば後部シートに乗っている人は、不安感がある。
【課題を解決するための手段】
【０００４】    ベルト（１）の両側に握りやすいグリップ（２）を４個、設ける。オートバイ後部シートの乗員は、運転者の腰に巻かれたグリップ付ベルト、のグリップを握る。運転者も後部シートの乗員、双方に不都合が無くなる。又運転者の肩からベルトが支えられている。
【発明を実施するための最良の形態】
【０００５】  以下、本発明の形態を説明する。
１  運転者の腰のベルト（１）にグリップ（２）４個を設けてある。腰のベルトは肩から支えられている。
２  オートバイ後部シートの乗員は両手でグリップ（２）をにぎる。
３  ４個のグリップ（２）は、ベルト（１）に固定されている。
【発明の効果】
【０００６】本発明でオートバイの２人乗り走行時、後部シート乗員はより安全に乗車していられる。
【図面の簡単な説明】
【図１】図１はショルダーベルトとグリップの位置関係を表わす。
【符号の説明】
１    ベルト
２    グリップ
【図１】
2006219102.tif 000003
(57)【要約】      （修正有）【課題】従来のオ−ディオ用ヘッドフォンは、重低音の点で、利用者の中には必ずしも百％の満足度が得られない人もいる。それでダイナミックスピ−カ−をモデルすることを止め、全く白紙の視点から新しい原理に基ずく重低音を主としたヘッドフォンを提供する。【解決手段】円筒の可動コイルには振動源を、コ−ンには音源を担って貰う二機構方式を止め、可動コイルは平板型にして一枚のコ−ンに貼り付け、この平板型の可動コイルの面が、平板型のマグネット上面約０．５ｍｍに位置するようにコ−ンのエッジを固定した。このような構造にしたことに依り、コ−ンの振動面積が従来のものに比較して広くなり、さらに可動コイルは振動源であると同時に音源でもあるので、重低音の再生がますます容易となる筈である。然し実際の使用では、期待通り重低音は良く再生するが、コア類を一切使用していないため従来品に対して効率が少し低下すると云う難点はある。【選択図】図３
2006352816.tif 000002
【特許請求の範囲】
【請求項１】
平板状に密巻した可動コイルを、薄くとも反発力の強い台紙、例えばセロファン等に貼り付けて振動板、即ちコ−ンとし、これを平板マグネット面との間に０．５ｍｍ程度の間隙ができるように適宜に保持してヘッドフフォンケ−ス内部に固定した、単純構造の重低音タイプスピ−カ−システィムである。
【請求項２】
本スピ−カ−システィムは、音量を大にするに伴って重低音の振動も大になり、人の声がこもった音になって聞きずらくなる。  それで重低音をあまり好まぬときは、平板状可動コイル面から数ｍｍ離れた位置に、厚さが０．１５ｍｍ程度のＰＥＴ板等を一種の周波数フィルタ−として挿入し、セットすることに依り、重低音の大部分をカットすることが可能である。
【発明の詳細な説明】
【技術分野】
【０００１】  本発明は、オ−ディオ用スピ−カ−の内の、ヘッドフォン等の超小型スピ−カ−に関するものである。
【背景技術】
【０００２】  ヘッドフォンは従来から数社の製品が市販されているが、臨場感に満ちた重低音と云う点では、必ずしも聞く人が百％の満足感が得られないものもある。
【発明が解決しようとする課題】
【０００３】  市販のヘッドフォンは、メ−カ−間で設計に多少の差異はあっても、その基本構造はダイナミックスピ−カ−をモデルにしているのが、これをモデルとしている限り重低音の大巾な改善は望めない。  即ち、重低音に一段と臨場感を与えるためには、振動源を司る可動コイルと音源を司る振動板、即ちコ−ンの二機構分離方式のダイナミックスピ−カ−へのこだわりを捨て、全く新らしい原理に基ずく新構造のスピ−カ−システイムを考案する以外に改善の途は無いと云う結論に至った。
【０００４】  如何なる構造が最良かの点につきいろいろ思案した結果、振動源と音源の二機構分離方式を止め、従来の円筒型可動コイルを平板型可動コイルに変更して振動板であるコ−ンに貼り付け、可動コイルにも音源としての機能を果たさせてはどうかと云う考えに至った。  この機構だと可動コイルを含むコ−ンの振動面積が従来のものより広くなり、一枚のコ−ン全面が振動して音源となるので、その分だけ重低音の振動がし易くなるものと考えたのである。
【課題を解決するための手段】
【０００５】  先ず、細い銅線を数十回巻いた平板型の可動コイルを作り、これを薄くとも反発力の強いセロファン等に貼り付け、コイルの周囲に数ミリの耳を残して余分な部分を切り取る。  この耳の周辺を、ヘッドフォンのサイズから割り出した寸法のリング状スペ−サ−に貼り付ける。
【０００６】  上記板状可動コイルの外径とほぼ同じサイズの板状マグネットの上面との間に、約０．５ｍｍ程度の間隙が生じる位置に可動コイルを配置し、この状態でヘッドフォンケ−ス内部に固定する。
【発明を実施するための最良の形態】
【０００７】  本発明のヘッドフォンの使用要領は、市販一般のそれと全く同一であって、特別な操作を必要としない。【０００８】  本発明のヘッドフォンは、図３で示す如くその主要部品がコ−ンと称するセロファン等に貼り付けた平板可動コイルと平板マグネットの二点だけと云う極めて単純な構造で、内部の磁力線を誘導する鉄心、即ちコア類が全く無い。
そのため磁力線の流れに何割かのロスが生じ、この磁気エネルギ−のロス分だけヘッドフォンの効率を下げていると云う難点がある。  コア類を簡単に取り付けて効率を上げてやることが出来ないのは、本ヘッドフォンの構造に起因する縮命的なもで、敢えて取り付ければ音を遮る構造になってしまう。【０００９】  音量を大にするに伴い重低音の振動が激しくなり、同時に人の声がこもった音に変わって行く。  それで重低音をあまり好まぬときは図１の１で示すキャップを開き、厚さが０．１５ｍｍ程度のＰＥＴ板等をリング状スペ−サ−に貼り付けた図３の５の言わば周波数フィルタ−をセットして聞くと、重低音の大部分がカットされて人のこもった声が消失して聞き良くなる。
【発明の効果】
【００１０】  本発明のヘッドフォンは、市販一般のそれに比べて効率が悪いが、臨場感溢れる重低音の響きは音楽ファンに満足感を与え、効率の悪さをカバ−してくれるものと確信する。
【００１１】  重低音をカットする周波数フィルタ−を用いることに依り、ヘッドフォンの周波数特性を一部任意に変えることが出来るので、フィルタ−の板厚を０．０５ｍｍ刻みに変えたものを４枚程度揃え置けば、利用者は最とも自分の好みに合った重低音や低音を楽しむことが出来る。
【００１２】  本発明のヘッドフォンが備えている特異的な特長は、音声機構だけに注目すすればその部品点数が平板マグネットと一枚のセロファン等に平板可動コイルを貼り付けた振動板たるコ−ンの二点だけと云う、極めて単純な構造になっていることである。  従って理論的には従来品に比べて部品点数が少なくなった分だけ、及び組み立て工数が削減される分だけ製造原価を引き下げる効果がある筈である。
【図面の簡単な説明】
【図１】  本発明の上面図
【図２】  本発明の側面図
【図３】  本発明のＡ−Ａ断面図
【符号の説明】
１    キヤップ
２    網
３    リ−ド線
４    ヘッドフォンケ−ス
５    周波数フィルタ−
６    リング状スペ−サ−
７    コ−ン
８    リング状スペ−サ−
９    平板可動コイル
１０    平板マグネット
【図１】
2006352816.tif 000003
【図２】
2006352816.tif 000004
【図３】
2006352816.tif 000005
(57)【要約】      （修正有）【課題】送信機は１台で、さらに作動距離にも制限がない。【解決手段】インターネット又は電話回線を利用することで作動距離の制限をなくす。受信部で通信内容に応じた赤外線波を出力することで、一つの送信部によって複数の作動実体を遠隔操作できる。また、送信部として市販の携帯電話が使用できる。【選択図】図１
2006352818.tif 000002
【特許請求の範囲】
【請求項１】
電話通信、インターネット通信かつ赤外線波出力が可能な装置が、電話着信をきっかけにインターネット通信を行い、読込内容に応じた赤外線波を出力するという、遠隔にて複数の赤外線波出力を行う方法
【請求項２】
上記請求項１を利用した自動車の遠隔エンジンスタート
【請求項３】
上記請求項１を利用した自動車の遠隔ドアロック・アンロック
【請求項４】
上記請求項１を利用した自動車のセキュリティ装置のオンオフ
【発明の詳細な説明】
【発明の開示】
【発明が解決しようとする課題】
【０００１】  従来の遠隔操作システムは、それぞれのシステムごとに専用の送信機が必要であり、さらに作動距離にも制限がある。
【課題を解決するための手段】
【０００２】  現在生活範囲において電話通信不可能である場所は少ないため、これを利用して遠隔操作を行う。
電話通信、インターネット通信かつ赤外線波出力が可能な装置を受信部として、電話着信をきっかけにインターネット通信を行い、読込内容に応じた赤外線波を出力する。
送信部は電話通信とインターネット通信が可能な装置とし、インターネット上に要求内容を書込み、受信部に対して電話を掛けることで読込処理を開始させる。送信部として市販の携帯電話が使用でき、一つの送信部によって複数の作動を操作できる。
【発明の効果】
【０００３】  電話回線圏内であれば作動距離に制限がない。
受信部で通信内容に応じた赤外線波を出力することで、一つの送信部によって複数の作動を遠隔操作できる。また、送信部として市販の携帯電話が使用できる。
電話着信によりシステムが作動し始めるので、要求に対してリアルタイムである。
受信部と作動部間には配線する必要がなく取り付け外しが容易である。
【図面の簡単な説明】
【図１】  まず送信部よりインターネット上のサーバーに対して作動要目を表すデータを書込む。次に受信部に対して電話を掛ける。この時、通話する必要はなく着信のみを通知する。  読込要求として着信を感知した受信部は、サーバーから作動要目を表すデータを読込み、その結果として読込データに応じた赤外線波を出力する。  この過程を経て赤外線波で作動する装置を遠隔操作する。
【図２】  作動実体の部分に固有の赤外線波で作動するスイッチを設け、それによりエンジンスターター装置、ドアロック・アンロック装置、セキュリティ装置を作動させる。
【図１】
2006352818.tif 000003
【図２】
2006352818.tif 000004